(57)【要約】【課題】要素磁石をバックヨーク上に配置し機械的に固定する構成において、要素磁石の数が多い場合でも、製作精度および経済性を損なわずに容易に製作することができ、組立・分解作業性のよい磁気ばね式動吸振装置を提供する。【解決手段】制振対象物に固定される固定部と、固定部と相対運動可能に支持された可動部と、バックヨーク７に複数の要素磁石８を取り付けてなり可動部に取り付けられた可動部磁石アセンブリ５と、バックヨーク７に複数の要素磁石８を取り付けてなり固定部１に取り付けられ可動部磁石アセンブリ５と磁気作用する固定部磁石アセンブリ６とを備え、可動部磁石アセンブリ５および固定部磁石アセンブリ６の少なくとも一方は、バックヨーク７に取り付けられて要素磁石８を位置決めする磁石固定部品９と、バックヨーク７に取り付けられて磁石固定部品９の側面に要素磁石８を押し付ける磁石押し付け部品１０とを備えている構成とする。【選択図】図２
2005233364.tif 000002
【特許請求の範囲】
【請求項１】
制振対象物に固定される固定部と、前記固定部と相対運動可能に支持された可動部と、バックヨークに複数の要素磁石を取り付けてなり前記可動部に取り付けられた可動部磁石アセンブリと、バックヨークに複数の要素磁石を取り付けてなり前記固定部に取り付けられ前記可動部磁石アセンブリと磁気作用する固定部磁石アセンブリとを備え、前記可動部磁石アセンブリおよび前記固定部磁石アセンブリの少なくとも一方は、前記バックヨークに取り付けられて前記要素磁石を位置決めする磁石固定部品と、前記バックヨークに取り付けられて前記磁石固定部品の側面に前記要素磁石を押し付ける磁石押し付け部品とを備えていることを特徴とする磁気ばね式動吸振装置。
【請求項２】
前記磁石押し付け部品は、前記要素磁石間に挿入することにより押し付け力を生じる挿入板ばねと、前記挿入板ばねを前記バックヨークに固定する固定用ねじとを備えていることを特徴とする請求項１記載の磁気ばね式動吸振装置。
【請求項３】
前記磁石押し付け部品は、前記要素磁石間に挿入され、加圧により押し付け力を生じる広がり板ばねと、前記広がり板ばねを加圧しながら前記バックヨークに固定する固定用ねじとを備えていることを特徴とする請求項１記載の磁気ばね式動吸振装置。
【請求項４】
前記磁石押し付け部品は、前記要素磁石間に設置される台形部品と、前記台形部品を前記要素磁石間に押し付ける楔形部品と、前記楔形部品をバックヨークに固定する固定用ねじとを備えていることを特徴とする請求項１記載の磁気ばね式動吸振装置。
【請求項５】
前記磁石押し付け部品が前記磁石固定部品に取り付けられまたは前記磁石固定部品と一体成型されていることを特徴とする請求項１記載の磁気ばね式動吸振装置。
【請求項６】
前記磁石押し付け部品は前記バックヨークに配置される前記要素磁石の所定の複数個数を一括して押し付ける長さを有することを特徴とする請求項１記載の磁気ばね式動吸振装置。
【請求項７】
前記磁石押し付け部品は、前記バックヨーク上に縦横各２列に一定間隔で配置された前記要素磁石４個の中央の隙間に取り付けられ前記要素磁石４個をその対角方向に一括して押し付ける板ばねと、前記板ばねを前記バックヨークに固定する固定用ねじとを備えていることを特徴とする請求項１記載の磁気ばね式動吸振装置。
【請求項８】
前記磁石押し付け部品は、前記バックヨーク上に縦横各２列に一定間隔で配置された前記要素磁石４個の中央の隙間に取り付けられる台形部品と、前記台形部品を介して前記要素磁石４個をその対角方向に一括して押し付ける楔形部品と、前記楔形部品を前記バックヨークに固定する固定用ねじとを備えていることを特徴とする請求項１記載の磁気ばね式動吸振装置。
【請求項９】
前記磁石押し付け部品は、前記要素磁石の上部を押圧する磁石上部固定部を備えていることを特徴とする請求項１記載の磁気ばね式動吸振装置。
【請求項１０】
前記固定部磁石アセンブリと前記可動部磁石アセンブリの間に導体板が設けられていることを特徴とする請求項１記載の磁気ばね式動吸振装置。
【発明の詳細な説明】
【技術分野】
【０００１】
本発明は、構造物や機器等の制振対象物に取り付けられて制振対象物の振動を低減する磁気ばね式動吸振装置に関する。
【背景技術】
【０００２】
一般に磁気ばね式動吸振装置は、制振対象物に固定される固定部および固定部と相対運動する可動部に対してそれぞれ永久磁石が取り付けられており、この固定部磁石と可動部磁石の吸引力をばね力として利用している。また、磁石間には導体板が介挿されており、可動部の移動時に導体板内を磁束が横切ることにより生じる渦電流損を減衰力として利用している。この固定部磁石と可動部磁石は、磁束効率を高めるために、バックヨークと呼ばれる強磁性の磁石固定板上に永久磁石（要素磁石）を一定間隔で配置した構成となっている。
【０００３】
バックヨークへの各要素磁石の固定は、通常環境下では、接着剤による接着固定が行われている。一方、放射線環境下においては、放射線による接着剤の接着強度の低下が起こる場合があることから、バックヨークに各要素磁石を機械的に固定することが望ましい。
【０００４】
バックヨークに各要素磁石を機械的に固定する構成の磁気ばね式動吸振装置としては、バックヨークに格子状の固定部品を固定し、その格子の内側に側面を接触させて各要素磁石を配置し、水平押さえ部品によって各要素磁石を格子状の固定部品の側面に押し付け、さらに各要素磁石の上部を垂直押さえ部品あるいは導体板により固定するものがある（下記特許文献１参照）。
【特許文献１】特開平１０−１９６７１４号公報
【発明の開示】
【発明が解決しようとする課題】
【０００５】
上述した磁気ばね式動吸振装置においては、大型の制振対象物への適用のためにバックヨーク上に配置する要素磁石の個数が多い場合、その要素磁石を縦横に配置するために大型の格子状の固定部品を製作する必要がある。しかし、要素磁石形状が小型で、その配置間隔が狭い場合には、格子状の固定部品の製作が難しく、製作精度が低下し製作コストが増大する。
【０００６】
また、磁気ばね式動吸振装置の固定部磁石および可動部磁石の組み立て時において、先にバックヨークに格子状の固定部品を固定しておき、その格子の内側に各要素磁石を配置していく方法では、その配置間隔が狭い場合には、要素磁石間の磁気吸引力の影響により配置作業が困難になるという問題がある。また、先にバックヨークに各要素磁石を縦横に配置しておき、後から格子状の固定部品を固定する方法では、バックヨーク上に何らかの別の手段で各要素磁石を位置決めをして配置していく必要があり、格子状の固定部の側面に接触させて配置していく場合と比較して、組み立て作業が複雑となり、作業性が悪くなるという問題がある。
【０００７】
また、磁気ばね式動吸振装置のばね定数および減衰係数を変更するために、要素磁石の配置個数を増減させる必要が生じた場合、格子状の固定部品に対して各要素磁石を水平押し付け部品により押し付けているため、まず全ての水平押し付け部品の押し付け力を解除する必要がある。その後、格子状の固定部品の取り外し、要素磁石の個数の増減、格子状の固定部品の取り付け、全ての水平押し付け部品による各要素磁石の押し付けといった作業が必要となる。すなわち、一部の要素磁石の配置個数を増減するための作業手順が複雑であり、作業性が悪いという問題がある。
【０００８】
さらに、水平押し付け部品として構造が複雑な部品を使用した場合、要素磁石の配置個数が増加すると、その組立・分解作業性が悪くなると共に、製作時間、コストも増大するという問題がある。このため、簡易な構造の水平押し付け部品あるいは組立・分解作業性の向上が望まれている。
【０００９】
本発明は上述した課題を解決するためになされたものであり、要素磁石をバックヨーク上に配置し機械的に固定する構成において、要素磁石の数が多い場合でも、製作精度および経済性を損なわずに容易に製作することができ、組立・分解作業性のよい磁気ばね式動吸振装置を提供することを目的とする。
【課題を解決するための手段】
【００１０】
請求項１の発明は、制振対象物に固定される固定部と、前記固定部と相対運動可能に支持された可動部と、バックヨークに複数の要素磁石を取り付けてなり前記可動部に取り付けられた可動部磁石アセンブリと、バックヨークに複数の要素磁石を取り付けてなり前記固定部に取り付けられ前記可動部磁石アセンブリと磁気作用する固定部磁石アセンブリとを備え、前記可動部磁石アセンブリおよび前記固定部磁石アセンブリの少なくとも一方は、前記バックヨークに取り付けられて前記要素磁石を位置決めする磁石固定部品と、前記バックヨークに取り付けられて前記磁石固定部品の側面に前記要素磁石を押し付ける磁石押し付け部品とを備えている構成とする。
【００１１】
請求項２の発明は、前記磁石押し付け部品は、前記要素磁石間に挿入することにより押し付け力を生じる挿入板ばねと、前記挿入板ばねを前記バックヨークに固定する固定用ねじとを備えている構成とする。
【００１２】
請求項３の発明は、前記磁石押し付け部品は、前記要素磁石間に挿入され、加圧により押し付け力を生じる広がり板ばねと、前記広がり板ばねを加圧しながら前記バックヨークに固定する固定用ねじとを備えている構成とする。
【００１３】
請求項４の発明は、前記磁石押し付け部品は、前記要素磁石間に設置される台形部品と、前記台形部品を前記要素磁石間に押し付ける楔形部品と、前記楔形部品をバックヨークに固定する固定用ねじとを備えている構成とする。
【００１４】
請求項５の発明は、前記磁石押し付け部品が前記磁石固定部品に取り付けられまたは前記磁石固定部品と一体成型されている構成とする。  
請求項６の発明は、前記磁石押し付け部品は前記バックヨークに配置される前記要素磁石の所定の複数個数を一括して押し付ける長さを有する構成とする。
【００１５】
請求項７の発明は、前記磁石押し付け部品は、前記バックヨーク上に縦横各２列に一定間隔で配置された前記要素磁石４個の中央の隙間に取り付けられ前記要素磁石４個をその対角方向に一括して押し付ける板ばねと、前記板ばねを前記バックヨークに固定する固定用ねじとを備えている構成とする。
【００１６】
請求項８の発明は、前記磁石押し付け部品は、前記バックヨーク上に縦横各２列に一定間隔で配置された前記要素磁石４個の中央の隙間に取り付けられる台形部品と、前記台形部品を介して前記要素磁石４個をその対角方向に一括して押し付ける楔形部品と、前記楔形部品を前記バックヨークに固定する固定用ねじとを備えている構成とする。
【００１７】
請求項９の発明は、前記磁石押し付け部品は、前記要素磁石の上部を押圧する磁石上部固定部を備えている構成とする。  
請求項１０の発明は、前記固定部磁石アセンブリと前記可動部磁石アセンブリの間に導体板が設けられている構成とする。
【発明の効果】
【００１８】
本発明によれば、要素磁石をバックヨーク上に配置し機械的に固定する構成において、要素磁石の数が多い場合でも、製作精度および経済性を損なわずに容易に製作することができ、組立・分解作業性のよい磁気ばね式動吸振装置を提供することができる。
【発明を実施するための最良の形態】
【００１９】
以下、本発明に係る磁気ばね式動吸振装置の第１ないし第３の実施の形態を図面を参照して説明する。  
（第１の実施の形態）
まず、図１〜図６を用いて第１の実施の形態を説明する。  
図１は本実施の形態の磁気ばね式動吸振装置の構成を示す断面図である。図１において、固定部１は図示しない制振対象物に固定される。固定部１の内部には可動部２が収納されている。可動部２には受座３が取り付けられている。この受座３を支持するように、固定部１にベアリング部４が取り付けられている。また、可動部２には、可動部磁石アセンブリ５が取り付けられている。この可動部磁石アセンブリ５と磁気作用するように、固定部１の内側に固定部磁石アセンブリ６が対向するように取り付けられている。
【００２０】
可動部磁石アセンブリ５または固定部磁石アセンブリ６はそれぞれ、バックヨーク７および複数の要素磁石８と、その要素磁石８をバックヨークに機械的に固定するための磁石固定部品９および磁石押し付け部品１０から構成されている。可動部磁石アセンブリ５と固定部磁石アセンブリ６の間には導体板１１が介挿されており、導体板１１は固定部１に固定されている。
【００２１】
図２（ａ）は、図１に示した磁石固定部品９と磁石押し付け部品１０を用いた可動部磁石アセンブリ５および固定部磁石アセンブリ６の構成を示す平面図であり、図２（ｂ）は図２（ａ）におけるａ−ａ銭矢視断面図である。図２（ａ），（ｂ）に示すように、バックヨーク７上には板状または棒状の磁石固定部品９が縦横に固定ねじ１２によって固定されている。また、バックヨーク７上には、磁石固定部品９の側面に隣り合う２面が接触する形で要素磁石８が縦横に複数個配置されている。各要素磁石８の隙間には、磁石押し付け部品１０が挿入され、固定用ねじ１２で固定されている。
【００２２】
図３（ａ）は図２に示した磁石押し付け部品１０の一形態である挿入板ばね１３を示す断面図であり、図３（ｂ）は挿入板ばね１３の要素磁石８間への取り付け状態を示す断面図である。図３（ａ）に示すように、挿入板ばね１３は、断面コ字の状態よりも拡開した断面形状を有し、また、基部には固定用の取付穴１４が設けられている。図３（ｂ）に示すように、挿入板ばね１３は拡開したその上部が狭められるように要素磁石８間に挿入され、固定ねじ１２によってバックヨーク７に固定されている。
【００２３】
図４（ａ）は図２に示した磁石押し付け部品１０の一形態である広がり板ばね１５を示す断面図であり、図４（ｂ）は広がり板ばね１５の要素磁石８間への取り付け状態を示す断面図である。図４（ａ）に示すように、広がり板ばね１５の基部は、凸状の断面形状を有し、また、固定用の取付穴１４が設けられている。図４（ｂ）に示すように、広がり板ばね１５は要素磁石８間に挿入され、固定ねじ１２によってその基部を図面下方向に加圧することにより、基部の長さが図中横方向に広がった状態でバックヨーク７に固定されている。
【００２４】
図５（ａ）は図２に示した磁石押し付け部品１０の一形態である台形部品１６と楔形部品１７を示す断面図であり、図５（ｂ）は台形部品１６と楔形部品１７の要素磁石８間への取り付け状態を示す断面図である。図５（ａ）に示すように、台形部品１６は、底辺が長い台形の断面形状を有している。また、楔形部品１７は、上辺が長い台形の断面形状を有し、また、固定用の取付穴１４が設けられている。図５（ｂ）に示すように、要素磁石８間に２個の台形部品１６が挿入され、その間に図中上方から下方に向かって楔形部品１７が挿入され、固定ねじ１２によりバックヨーク７に固定されている。
【００２５】
図６は磁石上部固定部品１８の要素磁石８間への取り付け状態を示す側面図である。図６に示すように、磁石上部固定部品１８は要素磁石８上部に係合し、かつ、挿入板ばね１３が介在する形状の板材であり、各要素磁石８の上部を下方に押圧するように取り付けられている。また、挿入板ばね１３が、その拡開した上部が狭められるように要素磁石８間に挿入され、磁石上部固定部品１８をバックヨーク７との間に挟み込む形でその基部を固定ねじ１２によってバックヨーク７に固定されている。
【００２６】
このように構成された本実施の形態の磁気ばね式動吸振装置において、図示しない制振対象物がその固有振動数あるいは内部モーター等の一定回転数により振動すると、図１に示したように固定部１に取り付けられた固定部磁石アセンブリ６を介して可動部磁石センブリ５にその振動が伝達され、可動部２が振動する。このとき、受座３およびベアリング部４による可動部２の可動方向はあらかじめ制振対象物の振動方向に一致させておくものとする。また、可動部磁石アセンブリ５と固定部磁石アセンブリ６間の磁気作用による磁気ばね定数および可動部磁石センブリ５と導体板１１の磁気作用による減衰係数もあらかじめ制振対象物に合わせて調整しておくものとする。これにより、動吸振器の原理で制振対象物の振動が低減され、制振対象物の寿命向上、信頼性向上を図ることができる。
【００２７】
本実施の形態の磁気ばね式動吸振装置は、可動部磁石アセンブリ５または固定部磁石アセンブリ６が、バックヨーク７に各要素磁石８を磁石固定部品９および磁石押し付け部品１０により機械的に固定した構成であるため、原子力発電所内の高放射線区域内の機器を制振対象物とする場合でも、要素磁石８の固定強度を損なうことなく、磁気ばね式動吸振装置の性能を維持することができる。
【００２８】
また、可動部磁石アセンブリ５または固定部磁石アセンブリ６の組み立て時においては、図２に示したように、バックヨーク７に磁石固定部品９を固定しておき、その側面に接触するように要素磁石８を配置して行く。このとき、磁石固定部品９を板状または棒状とし、固定用ねじ１２でバックヨーク７に固定する構成であるので、全ての磁石固定部品９を一度に取り付ける必要がなく、要素磁石８を配置しようとしている部分のみに取り付けておけばよい。すなわち、まずバックヨーク７の端部から磁石固定部品９を取り付け、その磁石固定部品９をガイドとして位置決めしながら順次要素磁石８を取り付けていくことができる。そのため作業性が極めてよい。
【００２９】
また、要素磁石８の機械的固定は、図２に示したように、磁石押し付け部品１０を２つの要素磁石８間に挿入して、固定用ねじ１２でバックヨーク７に固定する。これにより、要素磁石８が磁石固定部品９の側面に押し付けられ、自動的に位置決めされると共にバックヨーク７に強固に機械固定することができる。
【００３０】
この磁石押し付け部品１０として、図３に示した挿入板ばね１３を要素磁石８間に挿入する場合、挿入板ばね１３の拡開した上部が狭められることにより要素磁石８を磁石固定部品９に押し付ける力を得ることができる。
【００３１】
また、磁石押し付け部品１０として、図４に示した広がり板ばね１５を要素磁石８間に挿入する場合、広がり板ばね１５の基部を固定用ねじ１２によって下方向に加圧することにより、広がり板ばね１５の基部の長さが広がり、要素磁石８を磁石固定部品９に押し付ける力を得ることができる。
【００３２】
また、磁石押し付け部品１０として、図５に示した台形部品１６および楔形部品１７を要素磁石８間に挿入する場合、２つの台形部品１６を楔形部品１７で下方向に押し付けることにより要素磁石８を磁石固定部品９に押し付ける力を得ることができる。
【００３３】
また、磁石押し付け部品１０により要素磁石８を磁石固定部品９に押し付けると共に、バックヨーク７の方向にも固定する場合には、図６に示したように、磁石上部固定部品１８を各要素磁石８の上部に係合するように取り付けることにより、例えば挿入板ばね１３によって要素磁石８を水平方向に押し付けながら、同時に磁石上部固定部品１８によって垂直方向に固定することができる。なお、磁石上部固定部品１８を広がり板ばね１５または台形部品１６または楔形部品１７と共に用いても同様の効果が得られる。
【００３４】
本実施の形態の磁気ばね式動吸振装置は、バックヨーク７に対して板状または棒状の磁石固定部品９を固定用ねじ１２で縦横に固定し、磁石押し付け部品１０を要素磁石８の上下および左右の隙間に挿入して固定用ねじ１２で押し付けた構成としたので、要素磁石８の取り付け、取り外しを容易に行うことができ、組み立て・分解作業性がよい。また、磁石固定部品９および、磁石押し付け部品１０である挿入板ばね１３、広がり板ばね１５、台形部品１６、楔形部品１７および、磁石上部固定部品１８が比較的簡易な構造であるため、製作が容易であり、製作時間、製作コストを低減することができる。
【００３５】
（第２の実施の形態）
次に、本発明に係る磁気ばね式動吸振装置の第２の実施の形態を図７〜図１１を用いて説明する。なお、以下の各実施の形態において同一の構成には同一の符号を付し、重複する説明は省略する。
【００３６】
図７（ａ）は図１に示した磁石押し付け部品１０として磁石固定押し付け部品１９を用いた可動部磁石アセンブリ５または固定部磁石アセンブリ６の構成を示す平面図であり、図７（ｂ）は図７（ａ）におけるｂ−ｂ線矢視断面図である。図７（ａ），（ｂ）に示すように、バックヨーク７上には板状または棒状の磁石固定部品９が縦横に固定ねじ１２によって固定されている。また、バックヨーク７上には、磁石固定部品９の側面に隣り合う２面が接触する形で要素磁石８が縦横に複数個配置されている。各要素磁石８の上下および左右の隙間には、磁石固定部品９に１個または複数の磁石押し付け部品１０を取り付けた磁石固定押し付け部品１９が挿入され、固定ねじ１２でバックヨーク７に固定されている。
【００３７】
図８（ａ）は図７に示した磁石固定押し付け部品１９の一形態である挿入板ばね１３を用いた構成を示す磁石固定部品９の長さ方向に沿う断面図であり、図８（ｂ）は図８（ａ）におけるｃ−ｃ線矢視断面図である。図８（ａ），（ｂ）に示すように、磁石固定部品９の上部には、挿入板ばね１３が複数個、溶接等により取り付けられている。また、磁石固定部品９にはバックヨーク７への固定のための取付穴１４が設けられている。
【００３８】
図９（ａ）は図７に示した磁石固定押し付け部品１９の一形態である広がり板ばね１５を用いた構成を示す磁石固定部品９の長さ方向に沿う断面図であり、図９（ｂ）は図９（ａ）におけるｄ−ｄ線矢視断面図である。図９（ａ），（ｂ）に示すように、磁石固定部品９の下部には、広がり板ばね１５が複数個、溶接等により取り付けられている。また、磁石固定部品９にはバックヨーク７への固定のための取付穴１４が設けられている。
【００３９】
図１０（ａ）は図７に示した磁石固定押し付け部品１９の一形態である台形部品１６および楔形部品１７を用いた構成を示す磁石固定部品９の長さ方向に沿う断面図であり、図１０（ｂ）は図１０（ａ）におけるｅ−ｅ線矢視断面図である。図１０（ａ），（ｂ）に示すように、磁石固定部品９の下部には、台形部品１６を押し付ける楔形部品１７が複数個、溶接等により取り付けられている。また、磁石固定部品９にはバックヨーク７への固定のための取付穴１４が設けられている。
【００４０】
図１１（ａ）は図７に示した磁石固定押し付け部品１９の一形態である磁石一括押し付け部品２０の構成を示す図であり、図１１（ｂ）は磁石一括押し付け部品２０を用いた可動部磁石アセンブリ５または固定部磁石アセンブリ６の構成を示す平面図である。図１１（ａ）は、図１１（ｂ）のｆ−ｆ線矢視断面を表わしている。
【００４１】
図１１（ａ）に示すように、磁石固定部品９の上部には、例えば前記した挿入板ばね１３の断面形状を有し、その長さを長尺化した、磁石一括押し付け部品２０が溶接等により取り付けられている。また、磁石固定部品９および磁石一括押し付け部品２０にはバックヨーク７への固定のための取付穴１４が複数設けられている。図１１（ｂ）に示すように、各要素磁石８の左右の隙間には、磁石固定部品９に磁石一括押し付け部品２０を取り付けた磁石固定押し付け部品１９が挿入され、固定ねじ１２でバックヨーク７に固定されている。各要素磁石８の上下の隙間には、例えば前記挿入板ばね１３である磁石押し付け部品１０を複数個磁石固定部品９に溶接等により取り付けた磁石固定押し付け部品１９が挿入され、固定ねじ１２でバックヨーク７に固定されている。
【００４２】
このように構成された本実施の形態の磁気ばね式動吸振装置において、図１に示した可動部磁石アセンブリ５または固定部磁石アセンブリ６を組み立てる場合、図７（ａ），（ｂ）に示したように、バックヨーク７上に板状または棒状の磁石固定部品９を固定ねじ１２により固定し、その側面に隣り合う２面が接触するように要素磁石８を配置していく。その後、各要素磁石８の上下および左右方向の隙間に、磁石固定押し付け部品１９を挿入し、バックヨーク７に固定ねじ１２により固定することにより、複数の要素磁石８を一度に押し付けることができる。
【００４３】
この磁石固定押し付け部品１９の押し付け部として挿入板ばね１３を用いる場合、図８（ａ），（ｂ）に示したように、磁石固定部品９の上部に複数個の挿入板ばね１３を溶接等により固定しておき、要素磁石８間に挿入することにより、挿入板ばね１３の拡開した上部が狭められて複数の要素磁石８に対する押し付け力を得ることができる。
【００４４】
また、磁石固定押し付け部品１９の押し付け部として広がり板ばね１５を用いる場合、図９（ａ），（ｂ）に示したように、磁石固定部品９の下部に複数個の広がり板ばね１５を溶接等により固定しておき、要素磁石８間に挿入して広がり板ばね１５の基部を磁石固定部品９と共に固定用ねじ１２により下方向に加圧することにより、広がり板ばね１５が広がり、複数の要素磁石８に対する押し付け力を得ることができる。
【００４５】
また、磁石固定押し付け部品１９の押し付け部として台形部品１６および楔形部品１７を用いる場合、図１０（ａ），（ｂ）に示したように、磁石固定部品９の下部に複数個の楔形部品１７を溶接等により固定しておき、あらかじめ挿入しておく台形部品１６を押し付けるように要素磁石８間に挿入し、固定用ねじ１２により磁石固定部品９と共に下方向に押し付けることにより、複数の要素磁石８に対する水平方向の押し付け力を得ることができる。
【００４６】
また、磁石固定押し付け部品１９の押し付け部として磁石一括押し付け部品２０を用いて図１に示した可動部磁石アセンブリ５または固定部磁石アセンブリ６を組み立てる場合、図１１（ａ），（ｂ）に示したように、バックヨーク７上に板状または棒状の磁石固定部品９を固定ねじ１２により固定し、その側面に隣り合う２面が接触するように要素磁石８を配置していく。その後、各要素磁石８の上下方向の隙間に例えば磁石固定部品９に複数の挿入板ばね１３を取り付けた磁石固定押し付け部品１９を挿入し、左右方向の隙間に例えば磁石固定部品９に挿入板ばね１３の断面形状を持ち長さを長尺化した磁石一括押し付け部品２０が取り付けられた磁石固定押し付け部品１９を挿入し、それぞれ固定ねじ１２によりバックヨーク７に固定することにより、複数の要素磁石８を一度に押し付けることができる。
【００４７】
本実施の形態によれば、磁石固定部品９に取り付けた磁石押し付け部品１０あるいは磁石一括押し付け部品２０により複数の要素磁石８を同時に機械的に固定し、また、取り外しできるため、分解・組み立て作業性のよい磁気ばね式動吸振装置が得られる。
【００４８】
（第３の実施の形態）
次に、本発明に係る磁気ばね式動吸振装置の第３の実施の形態を図１２，１３を用いて説明する。  
図１２（ａ）は図１に示した磁石押し付け部品１０として縦横に各２個配置した計４個の要素磁石８の中央を挿入板ばね１３で固定した可動部磁石アセンブリ５または固定部磁石アセンブリ６の構成を示す部分平面図であり、図１２（ｂ）は図１２（ａ）におけるｇ−ｇ線矢視断面図である。図１２（ａ），（ｂ）に示すように、バックヨーク７上には磁石固定部品９が縦横に固定ねじ１２によって固定されている。また、バックヨーク７上には、磁石固定部品９の側面に隣り合う２面が接触する形で要素磁石８が縦横に複数個配置されている。各要素磁石８の縦横各２個の中央の隙間には、挿入板ばね１３が互いに直交するように２個重ねた状態で挿入され、１本の固定用ねじ１２でバックヨーク７に固定されている。
【００４９】
図１３（ａ）は図１に示した磁石押し付け部品１０として縦横に各２個配置した計４個の要素磁石８の中央を台形部品１６および楔形部品１７で固定する可動部磁石アセンブリ５または固定部磁石アセンブリ６の構成を示す部分平面図であり、図１３（ｂ）は図１３（ａ）におけるｈ−ｈ線矢視断面図である。図１３（ａ），（ｂ）に示すように、バックヨーク７上には磁石固定部品９が縦横に固定ねじ１２によって固定されている。また、バックヨーク７上には、磁石固定部品９の側面に２辺が接触する形で要素磁石８が縦横に複数個配置されている。各要素磁石８の縦横各２個の中央の隙間には、４方向の要素磁石８の対向する辺をそれぞれ押し付けるように４個の台形部品１６が挿入されており、それらを直交する４方向に押し付けるように一個の楔形部品１７が固定ねじ１２によりバックヨーク７に固定されている。
【００５０】
このように構成された本実施の形態の磁気ばね式動吸振装置において、図１における可動部磁石アセンブリ５または固定部磁石アセンブリ６を組み立てる場合、図１２に示したように、バックヨーク７上に磁石固定部品９を固定ねじ１２により固定し、その側面に隣り合う２面が接触するように要素磁石８を配置していく。その後、縦横各２個の要素磁石８の中央の隙間に、２つの挿入板ばね１３を直交させて重ね、各要素磁石８の対角方向に押し付けるように挿入することにより、一つの固定用ねじ１２で、同時に４方向に押し付け力を作用させることができる。
【００５１】
この場合、挿入板ばね１３の代わりに前述の広がり板ばね１５を用いても、同じ作用が得られる。また、要素磁石８と挿入板ばね１３の間に要素磁石８の角および挿入板ばね１３の両方に面接触する形状の部品を挿入することにより、より安定に押し付け力を伝達できる。
【００５２】
また、図１３に示すように、各要素磁石８を押し付ける部品として、台形部品１６と楔形部品１７を使用する場合、各要素磁石８の角に台形部品１６を挿入し、それらを一つの楔形部品１７によって下方向に押し付けるように取り付ける。また、楔形部品１７は四角錐の頂部を底部と平行に切った形状となっており、一つの固定用ねじ１２で、同時に４方向に押し付け力を作用させることができる。この時、図１３における台形部品１６は、要素磁石８の辺および楔形部品１７の対向面に接触する形状となっており、安定に押し付け力を伝達できる。
【００５３】
本実施の形態によれば、一つの固定用ねじ１２で、４つの要素磁石８を同時に機械的に固定し、また、取り外しできるため、分解・組み立て作業性のよい磁気ばね式動吸振装置が得られる。
【００５４】
以上、本発明の第１ないし第３の実施の形態の磁気ばね式動吸振装置を説明したが、１台の磁気ばね式動吸振装置に備えられる可動部磁石アセンブリ５と固定部磁石アセンブリ６は同じ構成であってもよいし異なる構成であってもよい。さらに可動部磁石アセンブリ５のみ、あるいは固定部磁石アセンブリ６のみが上に説明した構成を有するものであってもよい。
【図面の簡単な説明】
【００５５】
【図１】本発明の第１の実施の形態の磁気ばね式動吸振装置の構成を示す断面図。
【図２】本発明の第１の実施の形態の磁気ばね式動吸振装置に備えられる可動部磁石アセンブリまたは固定部磁石アセンブリの構成を示し、（ａ）は平面図、（ｂ）は（ａ）のａ−ａ線矢視断面図。
【図３】本発明の第１の実施の形態における磁石押し付け部品の第１の例を示し、（ａ）は断面図、（ｂ）は取り付け状態を示す断面図。
【図４】本発明の第１の実施の形態における磁石押し付け部品の第２の例を示し、（ａ）は断面図、（ｂ）は取り付け状態を示す断面図。
【図５】本発明の第１の実施の形態における磁石押し付け部品の第３の例を示し、（ａ）は断面図、（ｂ）は取り付け状態を示す断面図。
【図６】本発明の第１の実施の形態における磁石押し付け部品の第４の例を示し、（ａ）は断面図、（ｂ）は取り付け状態を示す断面図。
【図７】本発明の第２の実施の形態の磁気ばね式動吸振装置に備えられる可動部磁石アセンブリまたは固定部磁石アセンブリの構成を示し、（ａ）は平面図、（ｂ）は（ａ）のｂ−ｂ線矢視断面図。
【図８】本発明の第２の実施の形態における磁石固定用部材の第１の例を示し、（ａ）は長さ方向の断面図、（ｂ）は（ａ）のｃ−ｃ線矢視断面図。
【図９】本発明の第２の実施の形態における磁石固定用部材の第２の例を示し、（ａ）は長さ方向の断面図、（ｂ）は（ａ）のｄ−ｄ線矢視断面図。
【図１０】本発明の第２の実施の形態における磁石固定用部材の第３の例を示し、（ａ）は長さ方向の断面図、（ｂ）は（ａ）のｅ−ｅ線矢視断面図。
【図１１】本発明の第２の実施の形態における磁石固定用部材の第４の例を示し、（ａ）は前記磁石固定用部材を備えた可動部磁石アセンブリまたは固定部磁石アセンブリを示す平面図、（ｂ）は（ａ）のｆ−ｆ線矢視断面図。
【図１２】本発明の第３の実施の形態の磁気ばね式動吸振装置に備えられる可動部磁石アセンブリまたは固定部磁石アセンブリの第１の例を示し、（ａ）は部分平面図、（ｂ）は（ａ）のｇ−ｇ線矢視断面図。
【図１３】本発明の第３の実施の形態の磁気ばね式動吸振装置に備えられる可動部磁石アセンブリまたは固定部磁石アセンブリの第２の例を示し、（ａ）は部分平面図、（ｂ）は（ａ）のｈ−ｈ線矢視断面図。
【符号の説明】
【００５６】
１…固定部、２…可動部、３…受座、４…ベアリング部、５…可動部磁石アセンブリ、６…固定部磁石アセンブリ、７…バックヨーク、８…要素磁石、９…磁石固定部品、１０…磁石押し付け部品、１１…導体板、１２…固定ねじ、１３…挿入板ばね、１４…取付穴、１５…広がり板ばね、１６…台形部品、１７…楔形部品、１８…磁石上部固定部品、１９…磁石固定押し付け部品、２０…磁石一括押し付け部品。
【図１】
2005233364.tif 000003
【図２】
2005233364.tif 000004
【図３】
2005233364.tif 000005
【図４】
2005233364.tif 000006
【図５】
2005233364.tif 000007
【図６】
2005233364.tif 000008
【図７】
2005233364.tif 000009
【図８】
2005233364.tif 000010
【図９】
2005233364.tif 000011
【図１０】
2005233364.tif 000012
【図１１】
2005233364.tif 000013
【図１２】
2005233364.tif 000014
【図１３】
2005233364.tif 000015